(57)【特許請求の範囲】
【請求項１】
汎用シリアルバスインタフェースと、相互機器制御機能を有するマルチメディアインタフェースとを備える電子機器であって、
前記マルチメディアインタフェースを介して接続された画像表示装置から送信される前記相互機器制御機能のコマンドに応じた制御を許可する状態において外部機器が前記汎用シリアルバスインタフェースを介して接続された場合、ユーザにより第１状態が選択されたときは、前記画像表示装置から前記マルチメディアインタフェースを介して送信される前記相互機器制御機能のコマンドに応じた制御を禁止するとともに前記外部機器による前記汎用シリアルバスインタフェースを介した制御を許可し、ユーザにより第２状態が選択されたときは、前記画像表示装置から前記マルチメディアインタフェースを介して送信される前記相互機器制御機能のコマンドに応じた制御を許可するとともに前記外部機器による前記汎用シリアルバスインタフェースを介した制御を禁止する制御部を備えること
を特徴とする電子機器。
【請求項２】
請求項１に記載の電子機器において、
前記制御部は、前記マルチメディアインタフェースを介して接続された前記画像表示装置から送信される前記相互機器制御機能のコマンドに応じた制御を許可する状態において前記外部機器が前記汎用シリアルバスインタフェースを介して接続された場合、前記第１状態又は前記第２状態をユーザが選択するための画面が表示部に表示された状態においてユーザにより前記第１状態が選択されたときは、前記画像表示装置から前記マルチメディアインタフェースを介して送信される前記相互機器制御機能のコマンドに応じた制御を禁止するとともに前記外部機器による前記汎用シリアルバスインタフェースを介した制御を許可し、前記画面が前記表示部に表示された状態においてユーザにより前記第２状態が選択されたときは、前記画像表示装置から前記マルチメディアインタフェースを介して送信される前記相互機器制御機能のコマンドに応じた制御を許可するとともに前記外部機器による前記汎用シリアルバスインタフェースを介した制御を禁止すること
を特徴とする電子機器。
【請求項３】
請求項１又は請求項２に記載の電子機器において、
前記制御部は、前記マルチメディアインタフェースを介して接続された前記画像表示装置から送信される前記相互機器制御機能のコマンドに応じた制御を許可する状態において前記外部機器が前記汎用シリアルバスインタフェースを介して接続された場合、ユーザにより前記第１状態が選択されたときは、前記画像表示装置から前記マルチメディアインタフェースを介して送信される前記相互機器制御機能のコマンドに応じた制御を禁止するとともに前記外部機器による前記汎用シリアルバスインタフェースを介した制御を許可し、前記画像表示装置から前記マルチメディアインタフェースを介して送信される前記相互機器制御機能のコマンドに応じた制御を前記電子機器が禁止している旨を前記画像表示装置がユーザへ通知するよう制御すること
を特徴とする電子機器。
【請求項４】
請求項１から請求項３のいずれか一項に記載の電子機器において、
前記制御部は、前記マルチメディアインタフェースを介して接続された前記画像表示装置から送信される前記相互機器制御機能のコマンドに応じた制御を許可する状態において前記外部機器が前記汎用シリアルバスインタフェースを介して接続された場合、ユーザにより前記第２状態が選択されたときは、前記画像表示装置から前記マルチメディアインタフェースを介して送信される前記相互機器制御機能のコマンドに応じた制御を許可するとともに前記外部機器から前記汎用シリアルバスインタフェースを介して送信されるコマンドを実行できない旨のコマンドを前記外部機器へ前記汎用シリアルバスインタフェースを介して送信すること
を特徴とする電子機器。
【請求項５】
請求項１から請求項４のいずれか一項に記載の電子機器を備えるデジタルカメラであって、
前記制御部は、前記マルチメディアインタフェースを介して接続された前記画像表示装置から送信される前記相互機器制御機能のコマンドに応じた制御を許可する状態において前記外部機器が前記汎用シリアルバスインタフェースを介して接続された場合、ユーザにより前記第１状態が選択されたときは、前記画像表示装置から前記マルチメディアインタフェースを介して送信される前記相互機器制御機能のコマンドに応じた制御を禁止するとともに前記外部機器による前記汎用シリアルバスインタフェースを介した制御を許可し、前記外部機器から前記汎用シリアルバスインタフェースを介して送信される撮影コマンドに応じた撮影で得られた画像データに基づく画像を前記画像表示装置が表示するよう前記画像データを前記画像表示装置へ前記汎用シリアルバスインタフェースを介して出力すること
を特徴とするデジタルカメラ。
【請求項６】
相互機器制御機能を有するマルチメディアインタフェースを介して接続された画像表示装置から送信される前記相互機器制御機能のコマンドに応じた制御を許可する状態において外部機器が汎用シリアルバスインタフェースを介して接続された場合、ユーザにより第１状態が選択されたときは、前記画像表示装置から前記マルチメディアインタフェースを介して送信される前記相互機器制御機能のコマンドに応じた制御を禁止するとともに前記外部機器による前記汎用シリアルバスインタフェースを介した制御を許可し、ユーザにより第２状態が選択されたときは、前記画像表示装置から前記マルチメディアインタフェースを介して送信される前記相互機器制御機能のコマンドに応じた制御を許可するとともに前記外部機器による前記汎用シリアルバスインタフェースを介した制御を禁止する制御ステップをコンピュータに実行させるプログラム。
【発明の詳細な説明】
【技術分野】
【０００１】
本発明は、電子機器、デジタルカメラ及びプログラムに関する。
【背景技術】
【０００２】
デジタルカメラ等の画像記録装置は、パーソナルコンピュータ等との接続のための汎用インタフェースとして、ＵＳＢ（Ｕｎｉｖｅｒｓａｌ  Ｓｅｒｉａｌ  Ｂｕｓ）を備えている。画像記録装置とパーソナルコンピュータとをＵＳＢを介して接続し、撮像した画像（静止画像、動画像）のパーソナルコンピュータへの転送やパーソナルコンピュータから画像記録装置を制御して各種の撮影動作等を行わせることができる。
【０００３】
また、下記特許文献１に記載されているように、上述したＵＳＢに加えて、マルチメディアインタフェースとしてのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）を搭載した画像記録装置も登場している。テレビ受像機等の画像表示装置にＨＤＭＩを介して画像記録装置をケーブル接続して、撮像した画像を画像表示装置の表示画面上に表示させることができる。近時においては、ＨＤＭＩの相互機器制御機能としてのＣＥＣ（Ｃｏｎｓｕｍｅｒ  Ｅｌｅｃｔｒｏｎｉｃｓ
Ｃｏｎｔｒｏｌ）を用いて、例えばテレビ受像機に付属するリモートコントローラ（Ｒｅｍｏｔｅ  Ｃｏｎｔｒｏｌｌｅｒ）から、画像記録装置を操作できるようにすることも行われつつある。
【先行技術文献】
【特許文献】
【０００４】
【特許文献１】特開２００８−１８７５３６号公報
【発明の概要】
【発明が解決しようとする課題】
【０００５】
このように、ＵＳＢやＨＤＭＩ等の機器制御信号を転送可能な複数のインタフェースを搭載した画像記録装置においては、ＵＳＢを介して接続されたパーソナルコンピュータと、ＨＤＭＩを介して接続された画像表示装置とが同時に接続された場合には、画像記録装置は複数のホスト（パーソナルコンピュータ、画像表示装置）から制御可能な状態となり、制御困難な状況に陥る。このため、従来は、例えば、画像記録装置がＨＤＭＩを介して画像表示装置に接続されている場合において、画像記録装置にＵＳＢを介してパーソナルコンピュータが接続された場合には、ＨＤＭＩを制御上切断して（接続されていない場合と同様な状態として）、パーソナルコンピュータからの制御のみを受け付けるようにしていた。このため、画像記録装置が画像表示装置に接続されているにもかかわらず、画像表示装置は無表示状態となってしまい、ユーザにとっての利便性が低いという問題があった。
【０００６】
本発明は、ユーザにとっての利便性を向上することが可能な電子機器、デジタルカメラ及びプログラムを提供することを目的とする。
【課題を解決するための手段】
【０００７】
本発明の第１の態様においては、電子機器は、汎用シリアルバスインタフェースと、相互機器制御機能を有するマルチメディアインタフェースとを備える電子機器であって、前記マルチメディアインタフェースを介して接続された画像表示装置から送信される前記相互機器制御機能のコマンドに応じた制御を許可する状態において外部機器が前記汎用シリアルバスインタフェースを介して接続された場合、ユーザにより第１状態が選択されたときは、前記画像表示装置から前記マルチメディアインタフェースを介して送信される前記相互機器制御機能のコマンドに応じた制御を禁止するとともに前記外部機器による前記汎用シリアルバスインタフェースを介した制御を許可し、ユーザにより第２状態が選択されたときは、前記画像表示装置から前記マルチメディアインタフェースを介して送信される前記相互機器制御機能のコマンドに応じた制御を許可するとともに前記外部機器による前記汎用シリアルバスインタフェースを介した制御を禁止する制御部を備えることを特徴とする。
【０００８】
本発明の第２の態様においては、デジタルカメラは、上述した電子機器を備えるデジタルカメラであって、前記制御部は、前記マルチメディアインタフェースを介して接続された前記画像表示装置から送信される前記相互機器制御機能のコマンドに応じた制御を許可する状態において前記外部機器が前記汎用シリアルバスインタフェースを介して接続された場合、ユーザにより前記第１状態が選択されたときは、前記画像表示装置から前記マルチメディアインタフェースを介して送信される前記相互機器制御機能のコマンドに応じた制御を禁止するとともに前記外部機器による前記汎用シリアルバスインタフェースを介した制御を許可し、前記外部機器から前記汎用シリアルバスインタフェースを介して送信される撮影コマンドに応じた撮影で得られた画像データに基づく画像を前記画像表示装置が表示するよう前記画像データを前記画像表示装置へ前記汎用シリアルバスインタフェースを介して出力することを特徴とする。
【０００９】
本発明の第３の態様においては、プログラムは、相互機器制御機能を有するマルチメディアインタフェースを介して接続された画像表示装置から送信される前記相互機器制御機能のコマンドに応じた制御を許可する状態において外部機器が汎用シリアルバスインタフェースを介して接続された場合、ユーザにより第１状態が選択されたときは、前記画像表示装置から前記マルチメディアインタフェースを介して送信される前記相互機器制御機能のコマンドに応じた制御を禁止するとともに前記外部機器による前記汎用シリアルバスインタフェースを介した制御を許可し、ユーザにより第２状態が選択されたときは、前記画像表示装置から前記マルチメディアインタフェースを介して送信される前記相互機器制御機能のコマンドに応じた制御を許可するとともに前記外部機器による前記汎用シリアルバスインタフェースを介した制御を禁止する制御ステップをコンピュータに実行させる。
【発明の効果】
【００１１】
本発明によれば、ユーザにとっての利便性を向上することが可能となる。
【図面の簡単な説明】
【００１２】
【図１】本発明の実施形態のシステムの全体構成を模式的に示す図である。
【図２】本発明の実施形態のデジタルカメラの構成を示すブロック図である。
【図３】本発明の実施形態のデジタルカメラにおける第１処理を示すフローチャートである。
【図４】本発明の実施形態のデジタルカメラにおける第２処理を示すフローチャートである。
【発明を実施するための形態】
【００１３】
以下、本発明の実施形態について、図面を参照して詳細に説明する。この実施形態のシステムは、図１に示されているように、電子機器の一例としてのデジタルカメラ１、画像表示装置の一例としてのデジタルテレビ２、及び外部機器の一例としてのパーソナルコンピュータ３により構成されている。デジタルカメラ１は、特に限定されないが、例えば、一眼レフ方式のデジタルカメラを例示できる。電子機器としてデジタルカメラ１を例に説明するが、その他の電子機器、例えば携帯電話、スマートフォン、オーディオプレイヤー等であってもよい。
【００１４】
デジタルカメラ１は、汎用シリアルバスインタフェースとしてのＵＳＢ（Ｕｎｉｖｅｒｓａｌ  Ｓｅｒｉａｌ  Ｂｕｓ）、及び相互機器制御機能としてのＣＥＣ（Ｃｏｎｓｕｍｅｒ  Ｅｌｅｃｔｒｏｎｉｃｓ  Ｃｏｎｔｒｏｌ）機能を有するマルチメディアインタフェースとしてのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を備えている。ＵＳＢ及びＨＤＭＩはそれぞれホットプラグ（活線挿抜）に対応しており、電源をオンにしたままの状態で、他の機器との接続が可能であり、デジタルカメラ１はこれらのインタフェースを介して他の機器が接続されたか否かを検出することができる。
【００１５】
図２に示すようにデジタルカメラ１は、デジタルテレビ２との接続に供される接続部１８と、パーソナルコンピュータ３との接続に供される接続部１９とを有する。
【００１６】
接続部１８は、ＨＤＭＩレセプタクルであり、ＨＤＭＩ規格の通信インタフェースを有するＨＤＭＩ機器との接続に供される。接続部１８には、ＨＤＭＩ規格に準拠する通信ケーブルであるＨＤＭＩケーブル４の一端が挿入される。デジタルカメラ１は、接続部１８及びＨＤＭＩケーブル４を介してデジタルテレビ２と接続された場合、ＨＤＭＩソースとして動作する。デジタルテレビ２は、ＨＤＭＩシンクとして動作する。接続部１８は、例えばＨＤＭＩ規格タイプＣレセプタクルである。
【００１７】
接続部１９は、ＵＳＢレセプタクルであり、ＵＳＢ規格の通信インタフェースを有するＵＳＢ機器との接続に供される。接続部１９には、ＵＳＢ規格に準拠する通信ケーブルであるＵＳＢケーブル５の一端が挿入される。接続部１９は、例えばＵＳＢ規格マイクロＢレセプタクルであり、ＵＳＢ規格のホストとして動作するＵＳＢ機器との接続に供される。デジタルカメラ１は、接続部１９及びＵＳＢケーブル５を介してパーソナルコンピュータ３と接続された場合、ＵＳＢ規格のデバイスとして動作する。
【００１８】
また、図１に示すようにデジタルカメラ１を、ＨＤＭＩケーブル４を介してデジタルテレビ２と相互接続することにより、デジタルカメラ１で撮像された画像（静止画像、動画像）をデジタルテレビ２の表示画面（モニタ部）２５上に表示（例えば、静止画像をスライドショー表示）させることができる。このとき、ＨＤＭＩのＣＥＣ機能を用いて、例えば、デジタルテレビ２に付属するリモコン７のユーザによる操作に従って、画像表示の開始／停止、コマ送り（次の画像の表示）の指示、その他の指示を行うことができるようになっている。
【００１９】
また、デジタルカメラ１を、ＵＳＢケーブル５を介してパーソナルコンピュータ３に接続することにより、パーソナルコンピュータ３上で実行されるアプリケーションに従って、例えばテザー撮影を行うことができる。テザー撮影とは、パーソナルコンピュータ３上でのユーザによる操作に従ってデジタルカメラ１の撮影動作を制御して行う撮影（リモート撮影）のことである。テザー撮影により撮影された画像データは、自動的に又は必要に応じてパーソナルコンピュータ３に転送され、パーソナルコンピュータ３が備える不図示の記憶装置（ハードディスク装置等）に記憶される。
【００２０】
パーソナルコンピュータ３が実行するプログラム（テザー撮影用のアプリケーションを含む）は、ＣＤ−ＲＯＭ等の記録媒体６、又はインターネット等の電気通信回線（不図示）を経由して提供され、パーソナルコンピュータ３内にインストールされる。パーソナルコンピュータ３は、図示は省略するが、ＣＰＵ、メモリ、周辺回路、モニタ（ディスプレイ装置）、キーボード、マウス等を備え、ＣＰＵがインストールされたプログラムを実行することにより、テザー撮影機能やその他の機能が実現される。
【００２１】
デジタルカメラ１及びデジタルテレビ２の要部構成が図２に示されている。デジタルカメラ１とデジタルテレビ２とを相互接続するＨＤＭＩケーブル４は、ＨＤＭＩ規格に従って、ＣＥＣ（Ｃｏｎｓｕｍｅｒ  Ｅｌｅｃｔｒｏｎｉｃｓ  Ｃｏｎｔｒｏｌ）ライン４ａ、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ライン４ｂ、その他の信号ライン（不図示）を含んでいる。ＣＥＣライン４ａは、デジタルカメラ１とデジタルテレビ２との間で、制御コマンドの送受信を行うための信号線であり、ＴＭＤＳライン４ｂは、デジタルカメラ１からデジタルテレビ２に、画像データを転送するための信号線である。
【００２２】
デジタルカメラ１は、ＣＰＵ１０、ＲＯＭ１１、ＲＡＭ１２、フレームメモリ１３、操作部１４、背面モニタ１５、画像記録媒体１６、撮像処理部１７、接続部１８、ＨＤＭＩコマンド処理部１８ａ、ＨＤＭＩ画像出力部１８ｂ、接続部１９及びＵＳＢ処理部１９ａを有している。ＣＰＵ１０は、ＲＯＭ１１に記憶されている制御プログラム（後述する第１処理〜第３処理を行うためのプログラムを含む）を実行することにより、デジタルカメラ１を機能させるための各種の処理を実行する。ＲＡＭ１２はＣＰＵ１０等が処理を行う際の作業用の記憶領域を提供する。フレームメモリ１３としては、ＲＡＭ１２の記憶領域の一部が用いられる。
【００２３】
操作部１４は、半押し及び全押しの２つのスイッチングが可能なレリーズボタン、主電源をオン／オフするメインスイッチ、コマンドダイヤル、メニューボタン、項目選択用十字キー、ＯＫボタン（決定ボタン）、スライドショー開始ボタン、各種の撮影モードを選択するためのボタン等を含み、ユーザはこれらのスイッチやボタン等を所定の手順に従って操作することにより、撮影指示の他、各種のモード等の選択や設定の切り替え、パラメータの選択や入力、その他の撮影に伴う指示を行うことができる。
【００２４】
背面モニタ１５はデジタルカメラ１の背面に設けられ、ライブビュー画像、撮像した画像、各種パラメータ設定用のメニュー画面等を表示するための液晶パネル等からなる表示手段である。画像記録媒体１６は、フラッシュメモリ等から構成される可搬性を有するメモリカード等であり、デジタルカメラ１に設けられた所定のスロット（不図示）に交換可能に装着される。
【００２５】
撮像処理部１７は、図示は省略するが、撮像素子、Ａ／Ｄ変換回路、画像処理回路等を備えている。撮像素子は、ＣＣＤ又はＣＭＯＳ等により構成され、撮影レンズを介した被写体からの光を受光・撮像し、撮像信号（蓄積電荷としてのアナログ信号）を出力する。撮像素子から出力された撮像信号は、Ａ／Ｄ変換回路においてデジタル信号に変換され、画像処理回路に送られる。画像処理回路は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等で構成され、デジタル信号である原画像データに対してホワイトバランス（ＷＢ）調整、輪郭補償、ガンマ補正などの画像処理を行うとともに、必要に応じて、所定の圧縮形式（例えば、ＪＰＥＧ等）で圧縮する圧縮処理や圧縮された画像データの伸長処理等を行い、処理後の画像データを、操作部１４の操作等に基づいて、フレームメモリ１３又は画像記録媒体１６に記憶させる。
【００２６】
通常撮像時には、ユーザにより操作部１４のレリーズボタン（撮影指示ボタン）が押下されると、撮像処理部１７から撮像・画像処理された画像データが出力され、この画像データに、所定の付加情報を付加して、ｅｘｉｆ等の形式で画像ファイルとして、順次インクリメントされる連番を有する所定のファイル名で画像記憶媒体１６に記録される。
【００２７】
ＨＤＭＩコマンド処理部１８ａは、デジタルテレビ２との間でＣＥＣライン４ａを介して制御コマンドの送受信を行う処理部である。制御コマンドとしては、例えば、画像転送要求、画像転送中止（又は中断）要求、画像のコマ送り要求等が例示できる。制御コマンドとしては、デジタルカメラ１のレリーズ等の撮影動作や設定動作等を行わせるためのコマンドを含めてもよい。
【００２８】
ＨＤＭＩ画像出力部１８ｂは、ＣＰＵ１０からの指示に基づいて、デジタルテレビ２に画像データを転送する。ＨＤＭＩ画像出力部１８ｂは、例えば、スライドショーを行うための画像データをフレームメモリ１３又は画像記録媒体１６から読み出し、読み出した画像データを、ＨＤＭＩ画像出力部１８ｂへ出力する。ＨＤＭＩ画像出力部１８ｂは、この画像データを、ＨＤＭＩケーブル４（ＴＭＤＳライン４ｂ）を介してデジタルテレビ２（ＨＤＭＩ画像入力部２６ｂ）に転送する。
【００２９】
デジタルカメラ１は、ＣＰＵ１０による制御の下、ＨＤＭＩケーブル４を介してデジタルテレビ２が物理的に接続されているか否かを検出することができ、ＨＤＭＩケーブル４を介してデジタルテレビ２が物理的に接続されている場合において、ＣＥＣモードでの画像転送、通常モードでの画像転送、制御上の切断モードの何れかを行うことができる。
【００３０】
ＣＥＣモードは、ＨＤＭＩコマンド処理部１８ａにおいて、デジタルテレビ２からＣＥＣライン４ａを介して送られる制御コマンドを有効にして、すなわちデジタルテレビ２からデジタルカメラ１の制御が可能な状態で、画像データを転送するモードである。このＣＥＣモードでは、ユーザは、例えばデジタルテレビ２でスライドショー表示を行っている場合において、例えばリモコン７の操作部１４の操作によって画像のコマ送り等の指示を行いながら画像を鑑賞することができる。
【００３１】
通常モードは、デジタルテレビ２からＣＥＣライン４ａを介して送られる制御コマンドを無効にして、すなわちデジタルテレビ２からデジタルカメラ１の制御が不可能な状態で、画像データを転送するモードである。この通常モードでは、ユーザはデジタルテレビ２側からデジタルカメラ１を制御することはできず、デジタルカメラ１側における制御に従って画像データがデジタルテレビ２に転送され、表示される。
【００３２】
切断モードは、ＨＤＭＩケーブル４を介してのデジタルテレビ２の接続を、制御上切断した状態とするモードであり、ＨＤＭＩケーブル４が接続されていない場合と同様な状態とするモードである。従って、この切断モードでは、ＨＤＭＩケーブル４を介しての制御コマンドの送受信は勿論のこと、画像データの転送も行うことができない。これらのモードは、予め設定され、又は必要に応じて適宜に切り替えられるようになっている。
【００３３】
ＵＳＢ処理部１９ａは、デジタルカメラ１にＵＳＢケーブル５を介してパーソナルコンピュータ３が接続された場合に、パーソナルコンピュータ３との間で制御信号や画像信号等の送受信を行うための処理部である。
【００３４】
デジタルカメラ１は、ＣＰＵ１０による制御の下、ＵＳＢケーブル５を介してパーソナルコンピュータ３が物理的に接続されているか否かを検出することができ、ＵＳＢケーブル５を介してパーソナルコンピュータ３が物理的に接続されている場合において、通常通りの通信を行うモードと、接続されていない場合と同様な状態とするモードとを選択的に設定することができる。これらのモードは、予め設定され、又は必要に応じて適宜に切り替えられるようになっている。
【００３５】
デジタルテレビ２は、ＣＰＵ２０、ＲＯＭ２１、ＲＡＭ２２、フレームメモリ２３、操作部２４、モニタ部（表示画面）２５、ＨＤＭＩコマンド処理部２６ａ、及びＨＤＭＩ画像入力部２６ｂを有している。ＣＰＵ２０は、ＲＯＭ２１に記憶されている制御プログラム等を実行することにより、デジタルテレビ２を機能させるための各種の処理を実行する。ＲＡＭ２２はＣＰＵ２０等が処理を行う際の作業用の記憶領域を提供する。フレームメモリ２３としては、ＲＡＭ２２の記憶領域の一部が用いられる。操作部２４は、デジタルテレビ２に対して指示入力を行うために、ユーザが操作するボタン、スイッチ、キー等であり、デジタルテレビ２の本体に設けられ、又は図１のリモコン７に設けられている。
【００３６】
ＨＤＭＩコマンド処理部２６ａは、デジタルカメラ１とＣＥＣライン４ａを介して制御コマンドの送受信を行う処理部である。ＨＤＭＩ画像入力部２６ｂは、デジタルカメラ１（ＨＤＭＩ画像出力部１８ｂ）から、ＴＭＤＳライン４ｂを介して転送される画像データを取得（受信）する。ＣＰＵ２０は、ＨＤＭＩ画像入力部２６ｂで受信された画像データを、フレームメモリ２３へ記憶させる。フレームメモリ２３に記憶された画像データは、モニタ部２５で表示するのに適した形態に変換され、モニタ部２５に表示される。なお、モニタ部２５は、例えばＬＣＤ（Ｌｉｑｕｉｄ  Ｃｒｙｓｔａｌ  Ｄｉｓｐｌａｙ）やＰＤＰ（Ｐｌａｓｍａ  Ｄｉｓｐｌａｙ  Ｐａｎｅｌ）等の表示手段で構成される。
【００３７】
次に、ＨＤＭＩケーブル４を介して接続されたデジタルテレビ２から相互機器制御機能を用いた動作モード（ＣＥＣモード）でデジタルカメラ１が制御されている時に、ＵＳＢケーブル５を介してパーソナルコンピュータ３がデジタルカメラ１に接続された場合の処理（第１処理）について、図３に示すフローチャートを参照して説明する。
【００３８】
まず、前提として、デジタルカメラ１は、ＨＤＭＩケーブル４を介してデジタルテレビ２に接続されており、ＣＥＣモードで画像の転送が行われ、デジタルテレビ２のモニタ部２５上には、画像が表示（例えば、スライドショー表示）されているものとする。ここでは、デジタルテレビ２がＨＤＭＩケーブル４を介して接続されたことがデジタルカメラ１で検出された時点で、デジタルカメラ１は、自動的にＣＥＣモードに設定されるものとする。但し、このようなモード設定を自動的に行うのではなく、デジタルテレビ２をＨＤＭＩケーブル４を介してデジタルカメラ１に接続した後に、ユーザがデジタルカメラ１の操作部１４を用いて所定の操作を行うことによってＣＥＣモードに設定するようにしてもよい。このＣＥＣモードでは、ユーザがデジタルテレビ２のリモコン７等の操作部１４を用いて、例えばスライドショー表示の開始／停止、コマ送り、各種の設定等を行うことができる。
【００３９】
図３において、ＨＤＭＩのＣＥＣモードによりデジタルテレビ２での画像表示中において（ステップＳ１１）、デジタルカメラ１はパーソナルコンピュータ（パソコン）３がＵＳＢケーブル５を介して接続されたか否かを検出し（ステップＳ１２）、接続が検出されていない場合（Ｎの場合）にはステップＳ１１を継続し、接続が検出された場合（Ｙの場合）にはデジタルカメラ１はＣＥＣモードから通常モードに自動的に切り替える（ステップＳ１３）。この時、デジタルカメラ１のモードがＣＥＣモードから通常モードに切り替わった旨を示すメッセージをデジタルテレビ２のモニタ部２５上に表示させる（ステップＳ１３）。
【００４０】
通常モードに切り替えられたことにより、ＨＤＭＩコマンド処理部１８ａの機能は停止され、デジタルカメラ１はデジタルテレビ２からの制御コマンドを受信しない状態（ＣＥＣライン４ａが物理的に切断された状態と同様の状態）となる。このとき、ＨＤＭＩ画像出力部１８ｂについては、そのままの状態となっているため、デジタルカメラ１から画像が送られれば、当該画像をデジタルテレビ２のモニタ部２５上に表示することができる。
【００４１】
この状態では、ユーザがリモコン７等の操作部２４を操作しても、デジタルカメラ１の制御は行えないこととなる。このことは、デジタルテレビ２のモニタ部２５上に、デジタルカメラ１のモードがＣＥＣモードから通常モードに切り替わった旨を示すメッセージが表示されることにより、ユーザに通知される。なお、このメッセージとしては、「リモコン操作は行えないモードに切り替わりました」等の文字列の表示や同様の内容を示す図柄の表示を例示でき、モニタ部２５上に画像を表示中である場合にはその画像に重畳して表示するとよい。
【００４２】
次いで、デジタルカメラ１はＵＳＢプロトコルに従ってパーソナルコンピュータ３の制御下に遷移し（ステップＳ１４）、パーソナルコンピュータ３上で実行されるアプリケーションに従って制御される。ここでは、パーソナルコンピュータ３上で、例えば、テザー撮影プログラムが実行されるものとして、パーソナルコンピュータ３から送られる撮影コマンドに従って、デジタルカメラ１において撮影動作が行われ、撮影された画像がＨＤＭＩケーブル４のＴＭＤＳライン４ｂを介してデジタルテレビ２に転送され、そのモニタ部２５上に表示される（ステップＳ１５）。
【００４３】
このような第１処理（自動切替処理）を行うことにより、ＨＤＭＩとＵＳＢの両者が接続された場合の制御の相互干渉を有効に防止することができるとともに、ＨＤＭＩのＣＥＣを停止させるのみで、画像転送は継続し得るため、デジタルテレビ２のモニタ部２５上に画像を表示させることが可能となる。従って、従来よりもユーザにとっての利便性を向上させることができる。
【００４４】
次に、ＨＤＭＩケーブル４を介して接続されたデジタルテレビ２から相互機器制御機能を用いた動作モード（ＣＥＣモード）でデジタルカメラ１が制御されている時に、ＵＳＢケーブル５を介してパーソナルコンピュータ３がデジタルカメラ１に接続された場合の処理（第２処理）について、図４に示すフローチャートを参照して説明する。
【００４５】
前提は、上述した第１処理の場合と同様であるので、その説明は省略する。図４において、ＨＤＭＩのＣＥＣモードによりデジタルテレビ２での画像表示中において（ステップＳ２１）、デジタルカメラ１はパーソナルコンピュータ（パソコン）３がＵＳＢケーブル５を介して接続されたか否かを検出し（ステップＳ２２）、接続が検出されていない場合（Ｎの場合）にはステップＳ２１を継続し、接続が検出された場合（Ｙの場合）にはＨＤＭＩを優先するか又はＵＳＢを優先するかを選択するための選択画面をデジタルカメラ１の背面モニタ１５に表示させ、ユーザによる選択を促す（ステップＳ２３）。次いで、ステップＳ２３におけるユーザの選択がＵＳＢであるか否かを判断し（ステップＳ２４）、ＵＳＢが選択された判断した場合（Ｙの場合）には、ＣＥＣモードから通常モードに自動的に切り替える（ステップＳ２５）。この時、デジタルカメラ１のモードがＣＥＣモードから通常モードに切り替わった旨を示すメッセージをデジタルテレビ２のモニタ部２５上に表示させる。
【００４６】
通常モードに切り替えられたことにより、ＨＤＭＩコマンド処理部１８ａの機能は停止され、デジタルカメラ１はデジタルテレビ２からの制御コマンドを受信しない状態（ＣＥＣライン４ａが物理的に切断された状態と同様の状態）となる。このとき、ＨＤＭＩ画像出力部１８ｂについては、そのままの状態となっているため、デジタルカメラ１から画像が送られれば、当該画像をデジタルテレビ２のモニタ部２５上に表示することができる。この状態では、ユーザがリモコン７の操作部２４等を操作しても、デジタルカメラ１の制御は行えないこととなる。このことは、デジタルテレビ２のモニタ部２５上に、デジタルカメラ１のモードがＣＥＣモードから通常モードに切り替わった旨を示すメッセージが表示されることにより、ユーザに通知される。なお、このメッセージとしては、「リモコン操作は行えないモードに切り替わりました」等の文字列の表示や同様の内容を示す図柄の表示を例示でき、モニタ部２５上に画像を表示中である場合にはその画像に重畳して表示するとよい。
【００４７】
次いで、デジタルカメラ１はＵＳＢプロトコルに従ってパーソナルコンピュータ３の制御下に遷移し（ステップＳ２６）、パーソナルコンピュータ３上で実行されるアプリケーションに従って制御される。ここでは、パーソナルコンピュータ３上で、例えば、テザー撮影プログラムが実行されるものとして、パーソナルコンピュータ３から送られる撮影コマンドに従って、デジタルカメラ１において撮影動作が行われ、撮影された画像がＨＤＭＩケーブル４のＴＭＤＳライン４ｂを介してデジタルテレビ２に転送され、そのモニタ部２５上に表示される（ステップＳ２７）。
【００４８】
ステップＳ２４において、ＵＳＢが選択されなかった場合、すなわちＨＤＭＩが選択された場合（Ｎの場合）には、デジタルカメラ１は、ＨＤＭＩはそのままの状態（ＣＥＣモードのままの状態）として、ＵＳＢを機能させない状態（無接続状態と同様な状態）とする（ステップＳ２８）。この制御は、例えば、ＵＳＢを介して受信するコマンドに対して、実行不可能に相当するコマンドを返す、又は当該コマンドを無視する処理とすることができる。
【００４９】
このような第２処理（選択切替処理）を行うことにより、ＨＤＭＩとＵＳＢの両者が接続された場合の制御の相互干渉を有効に防止することができるとともに、ユーザの意向に沿った処理を行い得るため、従来よりもユーザにとっての利便性を向上することができる。また、ＵＳＢを優先することを選択した場合であっても、ＨＤＭＩのＣＥＣを停止させるのみで、画像転送は継続し得るため、デジタルテレビ２のモニタ部２５上に画像を表示させることが可能となり、従来よりもユーザにとっての利便性を向上させることができる。
【００５０】
なお、上述した第２処理では、ＵＳＢを優先することが選択された場合には、ＣＥＣモードから通常モードに切り替えることにより、ＨＤＭＩのＣＥＣを停止させるのみで、画像転送は継続し得るようにしたが、ＣＥＣモードから切断モードに切り替えて、ＨＤＭＩを完全に切断した状態とするようにしてもよい。
【００５１】
次に、デジタルカメラ１がＵＳＢケーブル５を介してパーソナルコンピュータ３に接続され、ＵＳＢプロトコルに従ってパーソナルコンピュータ３により制御されている時に、ＨＤＭＩケーブル４を介してデジタルテレビ２がデジタルカメラ１に接続された場合の処理（第３処理）について説明する。
【００５２】
まず、前提として、デジタルカメラ１は、ＵＳＢケーブル５を介してパーソナルコンピュータ３に接続されており、ＵＳＢプロトコルに従ってパーソナルコンピュータ３上で実行されるアプリケーションに従って制御されている。例えば、パーソナルコンピュータ３上でテザー撮影プログラムが実行されている場合には、パーソナルコンピュータ３から送られる撮影コマンドに従って、デジタルカメラ１において撮影動作が行われている。
【００５３】
このようにデジタルカメラ１がパーソナルコンピュータ３の制御下にある時に、デジタルカメラ１は、ＨＤＭＩケーブル４を介してデジタルテレビ２に接続されたか否かを検出し、接続が検出された場合には、デジタルカメラ１は通常モードに設定される。即ち、第３処理においては、デジタルカメラ１はデジタルテレビ２に接続されると、ＣＥＣモードでの接続を禁止し、通常モードによる接続を行う。
【００５４】
この時、デジタルテレビ２においては、デジタルカメラ１が通常モードで接続された旨を示すメッセージをモニタ部２５上に表示させる。また、通常モードで接続されるため、ＨＤＭＩコマンド処理部１８ａの機能は停止され、デジタルカメラ１はデジタルテレビ２からの制御コマンドを受信しない状態となる。一方、ＨＤＭＩ画像出力部１８ｂの機能は停止されないため、デジタルカメラ１から画像が送られれば、当該画像をデジタルテレビ２のモニタ部２５上に表示することができる。
【００５５】
このような第３処理を行うことにより、ＨＤＭＩとＵＳＢの両者が接続された場合の制御の相互干渉を有効に防止することができるとともに、ＵＳＢプロトコルに従った制御を継続することができる。また、ＨＤＭＩのＣＥＣを停止させるのみで、画像転送は行い得るため、デジタルテレビ２のモニタ部２５上に画像を表示させることが可能となり、従来よりもユーザにとっての利便性を向上させることができる。
【００５６】
なお、上述の実施の形態においては、デジタルカメラ１のＲＯＭ１１に第１処理〜第３処理を行うための制御プログラムを予め記憶する構成としたが、該プログラムをインターネット等のネットワークを介してダウンロードし、デジタルカメラ１に組み込むことによって、上述の第１処理〜第３処理を行うことができるようにデジタルカメラ１を機能させるようにしてもよい。
【００５７】
即ち、第１処理に係る制御プログラムは、ＨＤＭＩケーブル４を介して接続されたデジタルテレビ２からＣＥＣモードでデジタルカメラ１が制御可能な状態にあるとき、ＵＳＢケーブル５を介してパーソナルコンピュータ３がデジタルカメラ１に接続されると、ＣＥＣモードの使用を禁止する制御ステップをデジタルカメラ１に実行させる。
【００５８】
また、第２処理に係る制御プログラムは、ＨＤＭＩケーブル４を介して接続されたデジタルテレビ２からＣＥＣモードでデジタルカメラ１が制御可能な状態にあるとき、ＵＳＢケーブル５を介してパーソナルコンピュータ３がデジタルカメラ１に接続されると、ＨＤＭＩを優先するか又はＵＳＢを優先するかを選択するための選択ステップと、選択ステップにおいてＵＳＢを優先することが選択された場合にＣＥＣモードの使用を禁止する制御ステップとをデジタルカメラ１に実行させる。
【００５９】
また、第３処理に係る制御プログラムは、デジタルカメラ１がＵＳＢケーブル５を介してパーソナルコンピュータ３に接続されているとき、ＨＤＭＩケーブル４を介してＣＥＣモードで接続することができるデジタルテレビ２がデジタルカメラ１に接続されると、ＣＥＣモードの使用を禁止する制御ステップをデジタルカメラ１に実行させる。
【００６０】
以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【符号の説明】
【００６１】
１…デジタルカメラ、２…デジタルテレビ、３…パーソナルコンピュータ、４…ＨＤＭＩケーブル、４ａ…ＣＥＣライン、４ｂ…ＴＭＤＳライン、５…ＵＳＢケーブル、７…リモコン、１０，２０…ＣＰＵ、１１，２１…ＲＯＭ、１２，２２…ＲＡＭ、１３，２３…フレームメモリ、１４，２４…操作部、１５…背面モニタ、２５…モニタ部、１８ａ，２６ａ…ＨＤＭＩコマンド処理部、１８ｂ…ＨＤＭＩ画像出力部、２６ｂ…ＨＤＭＩ画像入力部、１９ａ…ＵＳＢ処理部。
【図１】
0005267650.tif 000002
【図２】
0005267650.tif 000003
【図３】
0005267650.tif 000004
【図４】
0005267650.tif 000005